(57)【特許請求の範囲】
【請求項１】
補聴器に接続され、基準音を用いて前記補聴器の調整を行う補聴器調整装置であって、
セグメント情報が付与された前記基準音、および補聴器使用者の所望の音量範囲を記憶する記憶部と、
前記記憶部から前記補聴器に対して前記基準音を出力する出力部と、
前記補聴器において補聴処理された前記基準音に対する補聴処理音が入力される入力部と、
前記記憶部に記憶された前記セグメント情報に基づいて、前記補聴処理音に含まれるセグメント単位の音量を算出する制御部と、
前記記憶部に記憶された前記補聴器使用者の所望の音量範囲内に、前記制御部において算出された音量が入っているか否かを、前記セグメント単位で表示する表示部と、
を備え、前記所望の音量範囲は、前記補聴器使用者の聴力閾値を下限値とし、前記補聴器使用者の不快閾値を上限値として設定される構成とした補聴器調整装置。
【請求項２】
前記セグメント単位には、音節単位、音素単位、単語単位が含まれる、
請求項１に記載の補聴器調整装置。
【請求項３】
前記表示部は、前記所望の音量範囲に対して、前記補聴処理音に含まれる前記セグメント単位の音量の平均値およびピーク値を比較表示する、
請求項１または２に記載の補聴器調整装置。
【発明の詳細な説明】
【技術分野】
【０００１】
本発明は、使用者の聴力等の諸条件に応じて、接続された補聴器の調整を行う補聴器調整装置に関する。
【背景技術】
【０００２】
従来より、使用者の聴力に合わせて補聴器の調整を行う補聴器調整装置が用いられている。
【０００３】
例えば、特許文献１には、補聴器調整過程における補聴器調整装置の表示画面が開示されている。
【０００４】
すなわち、表示画面には、横座標が周波数（ヘルツ）、縦座標が補聴器からの出力音の音量（ｄＢ）であるグラフに、補聴器使用者の不快閾値（ＵＣＬ）および聴力閾値（ＨＴＬ）が示されている。このグラフには、各周波数帯における、補聴器から出力される最大音レベル（ピーク標識）が示されており、ピーク標識がＵＣＬとＨＴＬとの間にあれば、補聴器使用者が適切に音を聞き取ることができる。よって、このグラフにより、補聴器調整の妥当性を検証している。
【先行技術文献】
【特許文献】
【０００５】
特表２００９−５３１８８３号公報
【発明の概要】
【発明が解決しようとする課題】
【０００６】
しかしながら、上記従来の補聴器調整装置では、以下に示すような問題点を有している。
【０００７】
すなわち、上記公報に開示された補聴器調整装置では、表示画面に示されるピーク標識が、数秒間連続する音声の最大音レベルであるとされている。ここで、数秒間連続する音声は文章レベルの長さの音声である。よって、特許文献１の調整方法では、補聴器使用者が、文章全体を聞き取れたか否かについての検証はできるが、文章を構成する単語や単語を構成する音を聞き取れたか否かについて、正確に検証することはできない。この結果、補聴器使用者の満足度の高い補聴器調整を行うことができない。
【０００８】
本発明の課題は、補聴器調整を行う際に、単語や音（セグメント）の単位で聞き取り度合いを検証し、補聴器使用者の満足度の高い補聴器調整を実施することが可能な補聴器調整装置を提供することにある。
【課題を解決するための手段】
【０００９】
本発明に係る補聴器調整装置は、補聴器に接続され、基準音を用いて補聴器の調整を行う補聴器調整装置であって、記憶部と、出力部と、入力部と、制御部と、表示部と、を備えている。記憶部は、セグメント情報が付与された基準音、および補聴器使用者の所望の音量範囲を記憶する。この所望の音量範囲は、補聴器使用者の聴力閾値を下限値とし、補聴器使用者の不快閾値を上限値として設定される。出力部は、記憶部から補聴器に対して基準音を出力する。入力部は、補聴器において補聴処理された基準音に対する補聴処理音が入力される。制御部は、記憶部に記憶されたセグメント情報に基づいて、補聴処理音に含まれるセグメント単位の音量を算出する。表示部は、記憶部に記憶された補聴器使用者の所望の音量範囲内に、制御部において算出された音量が入っているか否かを、セグメント単位で表示する。
【発明の効果】
【００１０】
以上のように本発明は、補聴器に接続され、基準音を用いて補聴器の調整を行う補聴器調整装置であって、記憶部と、出力部と、入力部と、制御部と、表示部と、を備えている。記憶部は、セグメント情報が付与された基準音、および補聴器使用者の所望の音量範囲を記憶する。この所望の音量範囲は、補聴器使用者の聴力閾値を下限値とし、補聴器使用者の不快閾値を上限値として設定される。出力部は、記憶部から補聴器に対して基準音を出力する。入力部は、補聴器において補聴処理された基準音に対する補聴処理音が入力される。制御部は、記憶部に記憶されたセグメント情報に基づいて、補聴処理音に含まれるセグメント単位の音量を算出する。表示部は、記憶部に記憶された補聴器使用者の所望の音量範囲内に、制御部において算出された音量が入っているか否かを、セグメント単位で表示する。
したがって、本発明に係る補聴器調整装置によれば、表示結果を見るだけで、容易に、基準音のセグメント単位で補聴器使用者が適切に聞き取ることができるか否かを検証することができるため、従来よりも詳細に補聴器の調整を行うことができる。この結果、補聴器使用者の満足度の高い補聴器調整を実施することができる。
【図面の簡単な説明】
【００１１】
【図１】本発明の一実施形態に係る補聴器調整装置およびその周辺機器を示す概念図。
【図２】図１の補聴器調整装置の制御ブロック図。
【図３】図１の補聴器調整装置の音源ＤＢに格納される日本語の音源例を示す図。
【図４】図１の補聴器調整装置の音源ＤＢに格納される英語の音源例を示す図。
【図５】図１の補聴器調整装置におけるモニタリング開始前の調整画面を示す図。
【図６】図１の補聴器調整装置におけるモニタリング画面の初期状態を示す図。
【図７】図１の補聴器調整装置における評価音源出力中に表示部に出力される画面の一例を示す図。
【発明を実施するための形態】
【００１２】
本発明の一実施形態に係る補聴器調整装置について、図１〜図７を用いて説明すれば以下の通りである。
【００１３】
本実施形態の補聴器調整装置１は、図１に示すように、入力部２と、表示部３と、音出力部４と、を備えている。また、補聴器調整装置１は、接続ボックス６および配線７，８を介して、調整対象となる補聴器５と接続される。
【００１４】
なお、補聴器５は、使用者９の左耳、右耳用として別々に用意されるが、図１ではその一例として右耳用の補聴器５を示している。
【００１５】
調整者１０は、入力部２を介して各種パラメータを変更することで、補聴器５の設定を行う。このとき、音出力部４は、調整に対する評価を行うための評価音源を出力する。
【００１６】
図２は、補聴器調整装置１の制御ブロックを示している。
調整者１０によって入力部２を介して入力・変更される調整値は、調整値メモリ１２に蓄えられるとともに、表示部３に表示される。調整者１０が補聴器５への調整値の書き込みを指示すると、書き込み部１３から接続ボックス６、補聴器５の入力部１４および補聴処理部１７を介して、補聴器５の補聴パラメータ保持部１５に調整値が書き込まれる。
【００１７】
補聴パラメータ保持部１５は、使用者９の聴力に応じて決定されるゲインやコンプレッション等の補聴パラメータを記憶する。
【００１８】
補聴器５は、補聴パラメータ保持部１５に格納されたパラメータに基づいて、本体マイク１６から取得した音を補聴処理部１７において処理した後、レシーバ１８から出力することで、使用者９の聴覚や好みに合わせた音を提供する。
【００１９】
通常、上記構成によって調整された補聴器５から出力される音を使用者９に聞いてもらい、その結果を元にして、更なる微調整が行われる。
【００２０】
本実施形態の補聴器調整装置１では、このような補聴処理を検証して、効果的な微調整を可能にする補聴器調整方法を実施する。本実施形態では、この目的を達成するために、音節ごとにメタ情報が振られた評価用音源（基準音）を音源ＤＢ２４に記憶させ、その評価用音源に対する補聴処理の状態をモニタリングしている。
【００２１】
図３に、音源ＤＢ２４に格納される日本語の音源例を、図４に、英語の音源例を示す。
ここでは、Ｗａｖファイルなどの音源ファイルと、音源の音節情報とその時間情報（区分時間情報）とがメタ情報として付与されている。なお、図３に示す日本語の音源例では、音節情報をひらがなとローマ字とで記載している。
【００２２】
ここで、入力部２を介して、調整者によって使用者９に提供される音源が選択される。選択された音源は、制御部１１によって音源ＤＢ２４から読み出され、音出力部４から出力される。補聴器調整装置１の音出力部４から出力された音源は、本体マイク１６を通じて補聴器５へ入力され、補聴処理部１７で補聴処理された後、レシーバ１８を介して使用者９に出力される。
【００２３】
ここで本実施形態では、上述した補聴処理の検証を行うために、補聴器５の本体マイク１６へ入力された音と補聴処理後の音とが、補聴処理部１７よって出力部１９、接続ボックス６を介して、補聴器調整装置１の読み込み部２０に返される。
【００２４】
これらの音は、モニタリング結果保存部２３に保存されるとともに、音源に付与されたメタ情報を参照して、区分情報算出部２２において、音節ごとの入力音圧および補聴処理後の音圧の平均値とピーク値とを算出し、モニタリング部２１を介して表示部３において調整者１０に提示される。
【００２５】
なお、ここでは、本体マイク１６に入力された音を補聴器調整装置１に返すように制御されているが、これらの処理は省略されてもよい。すなわち、例えば、補聴器調整装置１側において、補聴器５とスピーカ（音出力部４）との間の距離などのパラメータによって、「本体マイク１６に入力された音」を算出できる場合には、本体マイク１６に入力された音を補聴器調整装置１に返す処理を行わなくてもよい。
【００２６】
以下、図面を用いて、本実施形態における補聴器調整装置１の動作の説明をする。
図５には、モニタリングを開始する前の調整画面が示されている。
【００２７】
調整者１０は、入力部２を介してスライダー３１を操作することで、使用者９にあった周波数ごとの増幅値を設定する。周波数ごとに一連の調整が行われた後、モニタリングボタン３２が押下されると、図５に示す調整画面は所定のモニタリング画面（図６参照）に遷移する。なお、図５に示されている３本の曲線は、例えば、上から９０Ｈｚ・６０Ｈｚ・４０Ｈｚの各周波数に対応する音量を示している。
【００２８】
図６には、モニタリング画面の初期状態が示されている。
プルダウンメニュー３３によって、評価用の音源のリストから評価に使用したい音源が選択される。音源が選択されると、音源情報表示領域３４には、音源に付与されているメタ情報に基づいて、音節情報とその区分時間情報とが提示される。なお、図６に示す音源情報表示領域３４では、１マスの大きさが各音節の長さを示している。
【００２９】
次に、調整者１０によって開始ボタン３５が押下されると、音出力部４から評価音源が出力される。
【００３０】
図７には、評価音源を出力中に表示部３に出力される画面の一例が示されている。
評価音源が音出力部４から出力されると、その評価音源は、本体マイク１６を介して補聴器５に入力される。その後、評価音源は、補聴処理部１７において、使用者９に対応する補聴パラメータに基づいて補聴処理が行われる。
【００３１】
補聴処理部１７では、本体マイク１６に入力された音をフーリエ変換ＦＦＴなどの処理によって周波数ごとの強さを分析した後、補聴パラメータによって周波数ごとに異なる増幅処理を行い、逆フーリエ変換ＩＤＦＴで再び波形に戻す処理が行われる。このとき、求められる周波数ごとの強さ（スペクトラム情報、音量）を、画面上でモニタリングする。
【００３２】
具体的には、画面上に、使用者９の不快閾値（ＵＣＬ）３６および聴力閾値（ＨＴＬ）３７が示されるとともに、補聴処理前のスペクトラム情報から求めた区分時間ごとの補聴処理前のスペクトラム情報の平均値３８と、補聴処理後のスペクトラム情報から求めた区分時間ごとのスペクトラム情報の平均値３９とが表示される。さらに、音節に対応する区分時間ごとのピーク値４０が表示される。ここで、使用者９ごとに設定されるＵＣＬ３６とＨＴＬ３７とは、調整値メモリ（記憶部）１２に格納されている。
【００３３】
本実施形態では、区分時間ごとの平均値およびピーク値が、不快閾値（ＵＣＬ）３６および聴力閾値（ＨＴＬ）３７の間の値となっていることを確認することで、補聴処理によって、使用者が聞き取れる音の大きさに適切に増幅できているか否かを検証することができる。つまり、平均値とピーク値とを用いることにより、音節全体として十分な増幅が行えているか否かを判定することができるとともに、各音節（各区分時間）ごとに含まれるおそれがある破裂音などにより、ピーク値がＵＣＬ３６の値を超えていないことを確認することができる。
【００３４】
図７に示す例では、入力として５００Ｈｚ、１ｋＨｚの周波数に特徴があるが、その周波数のうち１ｋＨｚに対して、ＨＴＬ３７をわずかに超える程度までしか増幅できていないことが分かる。よって、「さ」の聞き取りを向上させるためには、１ｋＨｚの周波数の部分の増幅度を高くするように調整をすればよいことが分かる。
【００３５】
従来技術では、上記スペクトラム情報として、リアルタイムなスペクトラム情報と、過去数秒間のピーク値を表示していた。しかしながら、言葉の聞き取りが可能かどうかの確認を行うためには、単に、過去数秒間のピーク値などの情報をみるのではなく、言葉の最小単位である音素や音節といった単位で補聴処理が適切であるかどうかを判定する必要がある。
【００３６】
そこで、本実施形態の補聴器調整装置１では、評価音源に付与されたメタ情報から各音節の時間情報を取得する。そして、補聴器５側の補聴処理部１７から出力部１９、接続ボックス６、読み込み部２０を介して得られた補聴処理前・後のスペクトラム情報から、区分情報算出部２２において、音節ごとの時間情報に基づいて、平均値３９およびピーク値４０を算出する。そして、その情報を表示部３においてモニタリングする。なお、図７は、音節“さ（ＳＡ）”に対して、再度、補聴処理を施しているときの例を示している。
【００３７】
さらに、本実施形態の補聴器調整装置１では、モニタリング結果保存部２３において上記結果を保存しておき、保存結果を評価音源の再生終了後に再確認できるように構成されていてもよい。
【００３８】
具体的には、音源情報表示領域３４において、各音節をポインティングデバイス等で選択できるようにし、選択された音節が評価された際の平均値やピーク値を、図６および図７に示す方法によって提示すればよい。
【００３９】
［他の実施形態］
以上、本発明の一実施形態について説明したが、本発明は上記実施形態に限定されるものではなく、発明の要旨を逸脱しない範囲で種々の変更が可能である。
【００４０】
（Ａ）
上記実施形態では、音節単位のセグメント情報に基づいて、補聴処理のモニタリングを行う場合を例示したが、本発明はこれに限定されるものではない。
【００４１】
例えば、言葉の聞きとりの精度を高めるためには、音節単位が好ましいと考えられるが、音節よりも短い音素単位、または音節よりも長い単語単位で行った場合でも、上記実施形態と同様の効果を得ることができる。
【００４２】
（Ｂ）
上記実施形態では、平均値とピーク値との両方を用いてモニタリングを行う例を挙げて説明した。しかし、本発明はこれに限定されるものではない。
【００４３】
例えば、精度が低下する可能性があるが、平均値およびピーク値の少なくとも一方を用いてモニタリングした場合でも、上記実施形態と同様の効果を得ることができる。
【産業上の利用可能性】
【００４４】
本発明の補聴器調整装置は、補聴器調整を行う際に、単語や音（セグメント）の単位で聞き取り度合いを検証し、補聴器使用者の満足度の高い補聴器調整を実施することができるという効果を奏することから、片耳用、両耳用に関わらず、補聴器全般に対して広く適用可能である。
【符号の説明】
【００４５】
１      補聴器調整装置
２      入力部
３      表示部
４      音出力部（出力部）
５      補聴器
６      接続ボックス
７，８    配線
９      使用者（補聴器使用者）
１０      調整者
１１      制御部
１２      調整値メモリ（記憶部）
１３      書き込み部
１４      入力部
１５      補聴パラメータ保持部
１６      本体マイク
１７      補聴処理部
１８      レシーバ
１９      出力部
２０      読み込み部
２１      モニタリング部
２２      区分情報算出部
２３      モニタリング結果保存部
２４      音源ＤＢ（記憶部）
３１      スライダー
３２      モニタリングボタン
３３      プルダウンメニュー
３４      音源情報表示領域
３５      開始ボタン
３６      不快閾値（ＵＣＬ）
３７      聴力閾値（ＨＴＬ）
３８，３９  平均値
４０      ピーク値
【図１】
0005395826.tif 000002
【図２】
0005395826.tif 000003
【図３】
0005395826.tif 000004
【図４】
0005395826.tif 000005
【図５】
0005395826.tif 000006
【図６】
0005395826.tif 000007
【図７】
0005395826.tif 000008